(57)【特許請求の範囲】
【請求項１】
ヒーター及びこのヒーターへ送風可能な送風機構がケースに収納され、
このケースは、壁に固定された背面部と、この背面部の左右の端部から室内に向かってそれぞれ延びる側面部と、これらの側面部に空けられ前記ケース内に空気を取り入れるための開口部と、有し、
前記開口部に、前記ケース内への埃の侵入を抑制するフィルタが被せられてなる壁掛型暖房機であって、
前記フィルタは、前記側面部に沿って略水平方向にスライド可能に支持されていると共に、前記開口部よりも下方となる部位に前記壁に向かって突出する爪部を有し、
この爪部は、前記背面部に空けられた係止孔に係止されていることを特徴とする壁掛型暖房機。
【請求項２】
前記側面部は、前記開口部の上方に、前記フィルタをスライド可能に支持し略水平に延びるレールを有し、
前記フィルタは、前記レール上をスライド可能なスライダを有していることを特徴とする請求項１に記載の壁掛型暖房機。
【請求項３】
前記フィルタ、又は、前記背面部のいずれか一方には、凹状に形成された位置決め凹部が設けられ、
前記フィルタ、又は、前記背面部のいずれか他方には、凸状に形成され前記位置決め凹部に嵌合された凸部が設けられていることを特徴とする請求項１又は請求項２に記載の壁掛型暖房機。
【発明の詳細な説明】
【技術分野】
【０００１】
本発明は、壁に固定されたケースにヒーター及び送風機構が収納された壁掛型暖房機に関する。
【背景技術】
【０００２】
壁に固定されたケースにヒーター及び送風機構が収納された壁掛型暖房機が知られている。このような壁掛型暖房機に関する従来技術として特許文献１に開示される技術がある。
【０００３】
図７を参照する。図７は、特許文献１の図１６を再掲した図である。符号は、適宜振り直した。特許文献１に示されるような、壁掛型暖房機１１０は、ヒーター１１２及びこのヒーター１１２へ送風可能な送風機構１１３がケース１２０に収納されてなる。ケース１２０は、壁に固定されている。
【０００４】
送風機構１１３を作動させると、ケース１２０の両側面にそれぞれ形成された開口部１２４ａ，１２４ａからケース１２０内に空気が取り入れられる。取り入れられた空気は、ヒーター１１２の周辺を通過して温められ、ケース１２０の正面から送出される。
【０００５】
空気をケース１２０の側面の開口部１２４ａ，１２４ａから取り入れる壁掛型暖房機１１０によれば、ケース１２０を部屋の天井面の近傍に固定することができる。例えば、空気を上面から取り入れる壁掛型暖房機の場合には、所望の流量を確保するために、天井面から所定の距離離す必要がある。このため、壁掛型暖房機の配置場所の自由度が低下する。壁掛型暖房機１１０によれば、開口部１２４ａ，１２４ａが両側面に形成されているため、側壁の近傍であっても一方の開口部１２４ａからは空気を取り入れることができる。このため、配置の自由度が高い。
【０００６】
さらに、ヒーター１１２が異常に加熱した場合であっても、側面から空気を取り入れるため、開口部が上面にある場合に比べて熱の影響を受けにくい。さらに、壁掛型暖房機１１０は、頭上に配置されることが多々あるが、開口部１２４ａが側面に位置するため、掃除機による開口部１２４ａの掃除を容易に行うことができる。
【０００７】
ところで、一般に、ケース１２０の内部へ塵や埃が侵入することを抑制するために、開口部１２４ａ，１２４ａにはフィルタが被せられる。このようなフィルタは、所定期間毎に掃除を行ったり取り替えられたりする。このようなメンテナンス作業を簡便に行うことができれば好ましい。
【先行技術文献】
【特許文献】
【０００８】
【特許文献１】特開２００１−１１６４５１号公報
【発明の概要】
【発明が解決しようとする課題】
【０００９】
本発明は、メンテナンス性に優れた壁掛型暖房機の提供を課題とする。
【課題を解決するための手段】
【００１０】
請求項１による発明によれば、ヒーター及びこのヒーターへ送風可能な送風機構がケースに収納され、
このケースは、壁に固定された背面部と、この背面部の左右の端部から室内に向かってそれぞれ延びる側面部と、これらの側面部に空けられ前記ケース内に空気を取り入れるための開口部と、有し、
前記開口部に、前記ケース内への埃の侵入を抑制するフィルタが被せられてなる壁掛型暖房機であって、
前記フィルタは、前記側面部に沿って略水平方向にスライド可能に支持されていると共に、前記開口部よりも下方となる部位に前記壁に向かって突出する爪部を有し、
この爪部は、前記背面部に空けられた係止孔に係止されていることを特徴とする壁掛型暖房機が提供される。
【００１１】
請求項２に記載のごとく、好ましくは、前記側面部は、前記開口部の上方に、前記フィルタをスライド可能に支持し略水平に延びるレールを有し、
前記フィルタは、前記レール上をスライド可能なスライダを有している。
【００１２】
請求項３に記載のごとく、好ましくは、前記フィルタ、又は、前記背面部のいずれか一方には、凹状に形成された位置決め凹部が設けられ、
前記フィルタ、又は、前記背面部のいずれか他方には、凸状に形成され前記位置決め凹部に嵌合された凸部が設けられている。
【発明の効果】
【００１４】
請求項１に係る発明では、フィルタは、側面部に沿って略水平方向にスライド可能に支持されている。フィルタは、壁に向かってスライドさせるようにしてケースに取り付けることができる。壁掛型暖房機が天井や側壁の近傍に取り付けられている場合であっても、簡単にフィルタをケースに対して着脱することができる。メンテナンス性に優れた壁掛型暖房機を提供することができる。
【００１５】
特に、壁掛型暖房機は、多くの場合頭上に配置される。このような高い場所に配置された場合であっても、水平方向へスライドさせることにより脱着させることができるため、フィルタの脱着作業を容易に行うことができる。
【００１６】
加えて、フィルタを上にスライドさせて取り外す場合には、取り外し作業に必要な分、壁掛型暖房機を天井から離す必要がある。一方、フィルタを下にスライドさせて取り外す場合には、壁掛型暖房機の下に置かれた家具等から取り外し作業に必要な分、壁掛型暖房機を離す必要がある。即ち、上下にスライドさせる場合には、壁掛型暖房機の配置の自由度に大きな制限が加わる。この点、フィルタをケースの側面部に沿って水平方向にスライドさせる構成とすることにより、壁掛型暖房機の高い配置の自由度を確保することができる。
さらに、フィルタは、開口部よりも下方に壁に向かって突出する爪部を有し、爪部は、背面部に空けられた係止孔に係止されている。フィルタをスライドさせる際に、爪部が係止孔に係止される位置までフィルタをスライドさせる。ケースに対して簡単且つ正確にフィルタを取り付けることができる。
加えて、係止孔に係止されていることにより、フィルタの浮き上がりを防止することができる。爪部は、開口部よりも下方に位置するため、フィルタを開口部に確実に被せることができる。ケース内への塵や埃の侵入を抑制することができる。
【００１７】
請求項２に係る発明では、レールは、開口部の上方に設けられている。これにより、ケースとフィルタの間の隙間から塵や埃がケースの内部に侵入することを抑制することができる。
【００１８】
請求項３に係る発明では、フィルタ、又は、背面部のいずれか他方には、凸状に形成され位置決め凹部に嵌合された凸部が設けられている。これにより、フィルタを開口部に確実に被せることができる。ケース内への塵や埃の侵入を抑制することができる。
【図面の簡単な説明】
【００２１】
【図１】本発明の実施例による壁掛型暖房機の斜視図である。
【図２】図１に示されたフィルタが分解された状態の壁掛型暖房機の斜視図である。
【図３】図２の３矢視図である。
【図４】図１の４−４線断面図である。
【図５】図２の５矢視図である。
【図６】図１の６−６線断面図である。
【図７】従来の技術の基本構成について説明する図である。
【発明を実施するための形態】
【００２２】
本発明の実施の形態を添付図に基づいて以下に説明する。なお、説明中、左右上下とは図面を基準として左右上下を言う。
＜実施例＞
【００２３】
図１及び図２を参照する。壁掛型暖房機１０は、例えば、脱衣所において用いられる横長の暖房装置である。
【００２４】
壁掛型暖房機１０は、壁Ｗにケース２０が固定され、このケース２０にヒーター１２及び送風機構１３が収納されてなる。ケース２０の左右の端部には、それぞれフィルタ３０，３０が取り付けられている。フィルタ３０，３０は、塵や埃の堆積を抑制するために、概ね鉛直軸に沿って設けられている。
【００２５】
横長とは、水平側の横寸法が、鉛直側の縦寸法より大きいことをいい、この例では横寸法：縦寸法が、約２：１であるが、この比に限定されるものではない。
【００２６】
ケース２０は、壁Ｗに固定された平面状の背面部２１と、この背面部２１の上端から室内Ｒに向かって延びる平面状の天井面部２２と、この天井面部２２の先端から背面部２１の下端まで延びる曲面状の正面部２３と、これらの背面部２１、天井面部２２、正面部２３の左右の端部に位置する左右の側面部２４（左の側面部２４のみが示されている）と、からなる。
【００２７】
図２及び図３を参照する。背面部２１は、左右の下端近傍に凹状に形成された位置決め凹部２１ａ（左下端の位置決め凹部２１ａのみが示されている。）と、これらの位置決め凹部２１ａの上方にそれぞれ形成されフィルタ３０が係止される左右の係止孔２１ｂ（左の係止孔２１ｂのみが示されている。）と、が形成されている。
【００２８】
天井面部２２は、壁Ｗから室内Ｒに向かって緩やかな下がり勾配に延びている。
【００２９】
正面部２３は、緩やかな曲面によって構成されている。正面部２３の下部には、幅方向に亘って開口２３ａが形成され、この開口２３ａからヒーター１２が室内Ｒに臨んでいる。開口２３ａには、ヒーター１２を保護するための網板１５が被せられている。
【００３０】
左右の側面部２４は、略対称に形成されている。このため、左の側面部２４について詳細に説明し、右の側面部については、説明を省略する。右の側面部については、左の側面部２４の説明を適宜読み替えて適用することができる。以下、左の側面部２４を単に側面部２４という。
【００３１】
側面部２４は、天井面部２２に沿った部位を底辺とした場合に、下方に対頂点を有する略三角形状を呈する。壁掛型暖房機１０を側方から見た場合に、送風機構１３に重なる位置に開口部２４ａが形成されている。側面部２４の開口部２４ａの上方には、フィルタ３０をスライド可能に支持するレール２５を有している。
【００３２】
レール２５は、略水平に背面部２１の上端近傍から正面部２３の上端近傍まで延びている。正確には、レール２５は、壁Ｗから室内Ｒに向かって僅かに下がり勾配に設けられている。ここで、略水平とは、水平軸に対してレール２５が僅かに傾いていることまで含む。僅かに傾いているとは、フィルタ３０をレール２５に係止させた際に、フィルタ３０が滑り落ちない程度の傾きを言う。水平軸に対する傾きは、２０°以内であることが好ましい。
【００３３】
図４を参照する。レール２５は、側面部２４に一体成形されてなり、壁掛型暖房機１０を正面から見た状態を基準として、略Ｌ字状を呈する。即ち、レール２５は、側面部２４から略水平に延びるレール横壁部２５ａと、このレール横壁部２５ａの先端から上方に延びるレール縦壁部２５ｂと、からなる。
【００３４】
図１を参照する。ヒーター１２は水平に延びる棒状ヒーターが用いられている。なお、ヒーター１２には、横長の面状ヒーターを用いることもできる。また、ヒーター１２の本数は、任意である。
【００３５】
送風機構１３は、ケース２０の幅方向中央に位置するファンモータ１３ａと、このファンモータ１３ａの左右に配置されファンモータ１３ａによって駆動される左右のシロッコファン１３ｂ，１３ｂと、を有している。
【００３６】
左右のフィルタ３０は、略対称に形成されている。即ち、左右においてフィルタ３０の側面部２４への取付構造は、概ね共通している。このため、左のフィルタ３０について詳細に説明し、右のフィルタについては、説明を省略する。右のフィルタについては、左のフィルタ３０の説明を適宜読み替えて適用することができる。以下、左のフィルタ３０を単にフィルタ３０という。
【００３７】
図２及び図５を参照する。フィルタ３０は、略三角形状を呈した樹脂製の枠体３１と、この枠体３１に一体的に設けられ塵や埃のケース２０内への侵入を抑制するメッシュ状のフィルタ部３２と、を有している。枠体３１の外縁は、側面部２４の外縁に略一致している。例えば、フィルタ部３２は、インサート成形によって枠体３１に一体的に設けられている。
【００３８】
図４を参照する。枠体３１の上端部は、側面部２４に向かって斜めに延びる傾斜部３１ａとされている。さらに、枠体３１には、傾斜部３１ａの下端からレール２５の下方まで延びる延出部３１ｂが形成されている。傾斜部３１ａの先端には、レール２５に係止されレール２５上をスライド可能な略Ｌ字状のスライダ３３が一体的に形成されている。
【００３９】
傾斜部３１ａを有することにより、枠体３１は、強度が高められていると共に、側面部２４に向かって傾斜しているため、スライダ３３を小型化することができる。
【００４０】
スライダ３３は、傾斜部３１ａの上端から側面部に向かって略水平に延びるスライダ水平部３３ａと、このスライダ水平部３３ａの先端から下方に延びるスライダ縦壁部３３ｂと、からなる。スライダ縦壁部３３ｂの下端は、レール２５のレール横壁部２５ａの上面に接触している。これにより、フィルタ３０は、側面部２４によって支持されている。
【００４１】
図５を参照する。スライダ３３は、枠体３１上端部の前後両端に形成されている。傾斜部３１ａのなかのレール２５が形成された部位の近傍には、略矩形状の孔であるフィルター孔部３３ｃ，３３ｃがそれぞれ形成されている。
【００４２】
図２を併せて参照する。枠体３１の下端には、背面部２１の位置決め凹部２１ａに嵌合される凸部３４が一体的に形成されている。凸部３４は、円柱状を呈し、先端が先細り状に形成されている。
【００４３】
なお、凸部が背面部２１に形成され、位置決め凹部が枠体３１に形成されていても良い。
【００４４】
枠体３１の背面部２１側の端部には、壁Ｗに向かって突出する爪部３５が一体的に形成されている。爪部３５は、背面部２１に設けられた係止孔２１ｂに差し込まれて係止される。特に、図２に示されるように、係止孔２１ｂは、開口部２４ａよりも下方に形成されている。即ち、係止孔２１ｂに係止される爪部３５は、開口部２４ａよりも下方に位置している。
【００４５】
図５及び図６を参照する。枠体３１の背面部２１側の端部には、背面部２１の表面に当接可能な当接部３１ｄが形成されている。爪部３５は、当接部３１ｄの基端から壁Ｗ（図２参照）に向かって延びる略矩形状の爪部本体３５ａと、この爪部本体３５ａから係止孔２１ｂの縁に向かって突出した突起部３５ｂと、からなる。爪部本体３５ａは、壁Ｗに向かうに連れて薄肉状に形成されている。当接部３１ｂと突起部３５ｂとによって、係止孔２１ｂの縁を挟みこんでいる。
【００４６】
図２を参照する。フィルタ３０の側面部２４への取付方法の一例を説明する。まず、スライダ３３をレール２５に係止させる。次に、レール２５上をスライドさせながらフィルタ３０を背面部２１に向かって移動させる。
【００４７】
図６を併せて参照する。突起部３５ｂ（図６参照）が係止孔２１ｂの縁に当接した後も、フィルタ３０を背面部２１に向かって押し込む。すると、突起部３５ｂが係止孔２１ｂの縁に押されて、爪部３５が撓む。この状態のままさらにフィルタ３０を押し込むと、突起部３５ｂが係止孔２１ｂの縁を乗り越えて爪部３５の撓みが元に戻る。この際、凸部３４（図５参照）が位置決め凹部２１ａに嵌合され、フィルタ３０下端の浮き上がりが防止される。
【００４８】
開口部２４ａの全体にフィルタ部３２が重なるため、ケース２０内へ空気を取り込みつつ、塵や埃の侵入を抑制することができる。所定期間、使用することにより、フィルタ部３２には多くの塵や埃が付着する。効率よく空気をケース２０内に取り入れるためには、フィルタ３０を取り外し、新しいフィルタ３０に交換することやフィルタ部３２を掃除することが必要となる。
【００４９】
フィルタ３０を外す場合には、フィルタ３０を室内側に向かって引くことで、爪部３５が撓む。爪部本体３５ａと突起部３５ｂとの厚みは、係止孔２１ｂの幅よりも薄いため、フィルタ３０を引き抜くことができる。
【００５０】
以上に説明した本発明は、以下の効果を奏する。
【００５１】
図２及び図４を参照する。側面部２４は、開口部２４ａの上方に、フィルタ３０をスライド可能に支持し略水平に延びるレール２５を有し、フィルタ３０は、レール２５上をスライド可能なスライダ３３を有している。即ち、フィルタ３０は、側面部２４に沿って略水平方向にスライド可能に支持されている。フィルタ３０は、壁Ｗに向かってスライドさせるようにしてケース２０に取り付けることができる。壁掛型暖房機１０が天井や側壁の近傍に取り付けられている場合であっても、必要な作業スペースが少なくて済むため、簡単にフィルタ３０をケース２０に対して着脱することができる。メンテナンス性に優れた壁掛型暖房機１０を提供することができる。
【００５２】
特に、壁掛型暖房機１０は、多くの場合頭上に配置される。このような高い場所に配置された場合であっても、水平方向へスライドさせることにより脱着させることができるため、フィルタ３０の脱着作業を容易に行うことができる。
【００５３】
加えて、フィルタを上にスライドさせて取り外す場合には、取り外し作業に必要な分、壁掛型暖房機を天井から離す必要がある。一方、フィルタを下にスライドさせて取り外す場合には、壁掛型暖房機の下に置かれた家具等から取り外し作業に必要な分、壁掛型暖房機を離す必要がある。即ち、上下にスライドさせる場合には、壁掛型暖房機の配置の自由度に大きな制限が加わる。この点、フィルタ３０をケース２０の側面部２４に沿って水平方向にスライドさせる構成とすることにより、壁掛型暖房機１０の高い配置の自由度を確保することができる。
【００５４】
図５も併せて参照する。レール２５は、開口部２４ａの上方に設けられている。これにより、ケース２０とフィルタ３０の間の隙間から塵や埃がケース２０の内部に侵入することを抑制することができる。
【００５５】
図２及び図４を参照する。フィルタ３０には、凸状に形成され位置決め凹部２１ａに嵌合された凸部３４が設けられている。これにより、フィルタ３０を開口部２４ａに確実に被せることができる。ケース２０内への塵や埃の侵入を抑制することができる。
【００５６】
フィルタ３０は、開口部２４ａよりも下方に壁Ｗに向かって突出する爪部３５を有し、爪部３５は、背面部２１に空けられた係止孔２１ｂに係止されている。フィルタ３０をスライドさせる際に、爪部３５が係止孔２１ｂに係止される位置までフィルタ３０をスライドさせる。ケース２０に対して簡単且つ正確にフィルタ３０を取り付けることができる。
【００５７】
加えて、係止孔２１ｂに係止されていることにより、フィルタ３０の浮き上がりを防止することができる。爪部３５は、開口部２４ａよりも下方に位置するため、開口部２４ａよりも上方に配置されたスライダとで、フィルタ３０を開口部２４ａに確実に被せることができる。ケース２０内への塵や埃の侵入を抑制することができる。
【００５８】
さらに、凸部３４は、フィルタ３０の最下部に設けられている。多くの場合、壁掛型暖房機１０は、頭上に固定される。位置決めのための微調整が必要な部位をより作業者に近い場所に設けることにより、操作性を高めることができる。フィルタ３０の最下部に位置決め凹部が形成されている場合も、同様の効果を得ることができる。
【００５９】
さらに、フィルタ３０の枠体３１の外縁は、側面部２４の外縁と同じ形状を呈する。多くの場合、壁掛型暖房機１０は、頭上に固定される。枠体３１が大きいため、枠体３１の下端を持つことにより、作業者は、より近い位置でフィルタ３０の取付作業を行うことができ、脱着作業が容易となる。
【００６０】
尚、本発明による壁掛型暖房機は、脱衣所において用いられる壁掛型暖房機を例に説明したが、壁掛型暖房機が用いられる場所は、脱衣所には限られない。
【００６１】
本発明の作用及び効果を奏する限りにおいて、本発明は実施例に限定されるものではない。
【産業上の利用可能性】
【００６２】
本発明の壁掛型暖房機は、脱衣所を暖めるのに好適である。
【符号の説明】
【００６３】
１０…壁掛型暖房機
１２…ヒーター
１３…送風機構
２０…ケース
２１…背面部
２１ａ…位置決め凹部
２１ｂ…係止孔
２４…側面部
２４ａ…開口部
２５…レール
３０…フィルタ
３３…スライダ
３４…凸部
３５…爪部
Ｗ…壁
Ｒ…室内
【図１】
0006611670.tif 000002
【図２】
0006611670.tif 000003
【図３】
0006611670.tif 000004
【図４】
0006611670.tif 000005
【図５】
0006611670.tif 000006
【図６】
0006611670.tif 000007
【図７】
0006611670.tif 000008